(57)【要約】      （修正有）【課題】連結が便利で、組み立てが迅速で、堅固であり、寿命が長く、分解も容易で環境に優しい物置にできる迅速にロッカー等の物置に扉を取り付け得る連結部を提供する。【解決手段】扉１に第１の枢座１１を形成して、物置側の枠２に挿入穴２１を形成し、挿入穴２１に挿入棒３を挿入し、挿入棒３の外側端部に第２枢座３１を形成し、内端に被嵌合部３２を形成して、嵌合部材４を嵌合し、挿入棒３を枠２に固定させ、第１枢座１１と第２枢座３１を重ねて整合させる。枢軸は第１枢座１１と第２枢座３１の軸穴に貫通し、枢軸の一端に軸先５１を形成し、他端に割溝５２がある弾力性を持つ突出先５３を形成する。枢軸は軸先５１と弾力性を持つ突出先５３により挿入棒３の位置固定に利用し、かつ第１枢座１１と第２枢座３１の間の連結に利用し、扉１は枠２に枢軸を利用して第１枢座１１と第２枢座３１の蝶番的連結で組み合わせる。【選択図】図１
0003187103.tif 000002
【実用新案登録請求の範囲】
【請求項１】
迅速に物置に扉を取り付け得る連結部の構造であって、扉に第１の枢座を形成して、物置側の枠に挿入穴を形成し、該穴に棒を挿入し、挿入棒の外側端部に第２枢座を形成し、内端に被嵌合部を形成して、嵌合部材を嵌合し、挿入棒枠に固定させ、
第１枢座と第２枢座を重ねて整合させ、枢軸は第１枢座と第２枢座の軸穴に貫通し、枢軸の一端に軸先を形成し、他端に割溝がある弾力性を持つ突出先を形成する、
枢軸は軸先と弾力性を持つ突出先により挿入棒の位置固定に利用し、かつ第１枢座と第２枢座の間の連結に利用し、扉は前記枠に枢軸を利用して第１枢座と第２枢座の蝶番的連結で組み合わせる、
ことを特徴とする連結部。
【請求項２】
前記枢軸に復元スプリングを被着させ、スプリングの両端はそれぞれ扉と前記枠に当接させることを特徴とする請求項１に記載の連結部。
【考案の詳細な説明】
【技術分野】
【０００１】
本考案は、ロッカー等の物置の技術分野に関し、特に迅速に物置に扉を取り付け得る連結構造に関する。
【背景技術】
【０００２】
現在の既存技術の中で、室内を綺麗に広く利用するため、一般的には簡単に物品を収納できるロッカーや戸棚等の物置に物品を保管する。
この物置を工場から出荷するときには、体積が大きいため、輸送又は包装する際に不便が生じる。
【０００３】
そこで、簡単に物置の輸送又は包装ができるように、当業者は物置の構造を改良し、小さい戸棚が完全に外すことができる板部品で組み立て、組み立て時には再び各板部品を組み立て得る物置を設計している。
これにより物置の体積を大きく減少させ、簡単に物置の輸送と包装を行うことができる。
【０００４】
しかし、多くの物置では、戸板に金属蝶番を採用して連結部の連結を実現している。
この金属蝶番は設置が不便なだけでなく、分解時にも不便である。
また、風呂場などの場所に使用できるロッカー等の物置には、金属などの部品を使用することは可能な限り避けたいとの要望があり、その物置に使用される連結部についても同様である。
【０００５】
更に、金属蝶番を採用すると、物置が使い古された場合にリサイクルすることも困難である。
このため、既存の連結部の構造を確実に改善することが望ましく、現在、このような要求を満足させるため、本考案者がこれを考案し、便利で迅速であって、堅固な長寿命の環境に優しい連結部の構造を考案し、本考案を提供した。
【考案の概要】
【考案が解決しようとする課題】
【０００６】
本考案の目的は、迅速にロッカー等の物置に扉を取り付ける連結部の構造を提供し、連結が便利、組み立ての迅速さ、堅固、寿命が長く、分解も容易で環境に優しい物置を提供することにある。
【課題を解決するための手段】
【０００７】
上記した目的を実現するため、本考案は、次の構成を採用する。
＜構成１＞
本考案は、迅速に物置に扉を取り付け得る連結部の構造であって、扉に第１の枢座を形成して、物置側の枠に挿入穴を形成し、該穴に棒を挿入し、挿入棒の外側端部に第２枢座を形成し、内端に被嵌合部を形成して、嵌合部材を嵌合し、挿入棒枠に固定させ、第１枢座と第２枢座を重ねて整合させ、枢軸は第１枢座と第２枢座の軸穴に貫通し、枢軸の一端に軸先を形成し、他端に割溝がある弾力性を持つ突出先を形成する、枢軸は軸先と弾力性を持つ突出先により挿入棒の位置固定に利用し、かつ第１枢座と第２枢座の間の連結に利用し、扉は前記枠に枢軸を利用して第１枢座と第２枢座の蝶番的連結で組み合わせる、
ことを特徴とする。
【０００８】
＜構成２＞
また、本考案は更に、上述した枢軸に復元スプリングを被着させ、スプリングの両端はそれぞれ扉と前記に当接させることを特徴とする。
【０００９】
上記構造を採用することで、本考案は枢軸で第１枢座と第２枢座の蝶番的連結で組み合わせることを利用しているため、現有の物置の扉と物置側の枠の連接を実現でき、連接時に挿入棒を事前に前記枠に差し込み、嵌合部材で挿入棒を固定し、また、枢軸を第１枢座と第２枢座の間に挿入固定して扉と前記枠の連接が完成する。
【００１０】
連接操作が非常に便利で迅速であり、堅固であり、分解時も枢軸を第１枢座と第２枢座の間から抜けばよいので、分解も非常に簡単である。
更に、第１枢座、挿入棒、嵌合部材と枢軸は物置と同様または類似する物に利用することができる。
【００１１】
本考案を使用した物置は金属部品を使用することを避けられ、寿命は長くなり、長期間使用した物置を捨てる時に、ゴミの分別をする必要も無く、そのまま捨てることができ、環境保護にも貢献できる。
【図面の簡単な説明】
【００１２】
【図１】は、本考案に係る物置の分解斜視図である。
【符号の説明】
【００１３】
1…戸板
2…戸の枠
3…挿入棒
4…嵌合部材
5…枢軸
6…スプリング
11…第１枢軸
21…挿入穴
31…第２枢軸
32…被嵌合部
51…軸先
52…割溝
53…弾力を有する突出
【実施例】
【００１４】
図１には本考案に係る迅速に物置に扉を取り付け得る連結部の構造が示されている。戸板１（扉）に第１枢座11が設けられ、戸の枠２に挿入穴21が設けられ、挿入穴21に挿入棒3を挿入し、挿入棒3の外端には第２枢座31を形成し、内端に薄肉部分を含む被嵌合部32を形成する。
嵌合部材4は挿入穴21から突出する被嵌合部32に上下方向から嵌合され、挿入棒3は第２枢座31を嵌合部材4を介して枠2に位置決め固定するために利用され、第１枢座11の複数の軸穴部と第２枢座の複数の軸穴部は相互に重なるように整合され、枢軸5は第１枢座11と第２枢座の軸穴部に貫通し、枢軸5の一端は大径の軸先51を有し、他端に割溝52を持つ弾性を有する突出先53を有する。
枢軸5が貫通されると、弾性を有する突出先53は割溝52が開き、枢軸5は軸先51と突出先53の位置決めにより第１枢座11と第２枢座31の間が固定的に連結され、これにより戸板1は戸の枠2に枢軸5を介して第１枢座11と第２枢座31の蝶番的連結で組み合わされる。
戸板1を開いた後に閉じる方向の外力が無い場合に自動的に戻れるように、この実施例では更に枢軸5にスプリング6を被着させ、バネ6の両端がそれぞれ戸板1と戸の枠2の板面に接されている。
【００１５】
本考案を組み立てるときは、先に挿入棒3を戸の枠2の挿入穴21に押し込んで、嵌合部材4を挿入棒3の被嵌合部32に嵌合させ、挿入棒3を戸の枠2の上に上下に固定し、第１枢座11と第2枢座を重ねて整合させる。また、枢軸5を第１枢座11と第２枢座の軸穴部に挿入固定し、これにより戸板１と戸の枠2の蝶番的連結部の連接が完成する。
【００１６】
本考案を分解するときは、嵌合部材4を挿入棒3の被接合部32から外し、挿入棒3を戸の枠2から外す。これで戸1と戸の枠2を取り外れる。
【００１７】
以上が本考案の一実施例であり、これによって本考案の権利範囲を限定するのもではない。本考案の設計思想と同様な改良は全て本考案の保護範囲内である。
【図１】
0003187103.tif 000003